(57)【特許請求の範囲】
【請求項１】
図柄を変動表示する図柄表示装置を備えるとともに、入賞に応じた遊技球の払出機能を備え、前記図柄表示装置における確定図柄が当り図柄である場合に当り遊技状態を発生し得る弾球遊技機において、
前記当り図柄のうちの一部を終了当り図柄とし、他の一部を普通当り図柄とし、それら普通当り図柄及び終了当り図柄以外を前記終了当り図柄で当り遊技状態となるまでそのまま遊技を継続できる継続当り図柄として設定し、
前記図柄表示装置の変動結果が前記継続当り図柄を表示したときから前記終了当り図柄に基づく終了信号が導出されるまでの間の当り遊技状態の期間中に継続信号を管理コンピュータ及び遊技機島台の上方に設けられる表示装置に導出する継続信号導出手段を備えたことを特徴とする弾球遊技機。
【請求項２】
継続当り図柄及び終了当り図柄を個々独立に変更設定できるように構成したことを特徴とする請求項１記載の弾球遊技機。
【発明の詳細な説明】
【０００１】
【発明の属する技術分野】
本発明は、弾球遊技機に関するものである。
【０００２】
【従来の技術】
従来、図柄表示装置にいろいろな図柄の組合せを表示させ、その図柄の組合せが予め定めた大当り図柄の組合せであるときに変動入賞装置を一定時間（例えば、３０秒）経過するまで、あるいはその一定時間内に所定個数（例えば、１０個）の入賞玉が発生するまで開放させ、その開放中に継続条件が成立した時には、再度上記した開放状態を所定回数（例えば、１６回）繰り返すようにしたパチンコ機が多数提供されていた。このようなパチンコ機にあっては、遊技者に大当りが数多く表示される印象を与えるために、大当りとなる図柄の組合せを複数個用意していた。そして、その複数個の大当り図柄のうち、ある特定の大当り図柄の組合せ（以下、継続大当り図柄という）が表示されたときには、当該大当り遊技状態の終了後にそのまま遊技を継続させ、継続大当り図柄以外の大当り図柄の組合せが表示された時には、当該大当り遊技状態の終了後にその時点で獲得した景品玉を一旦遊技者の所望する景品に交換させた後でしか当該パチンコ機で継続的に遊技を行えないようにしていた。
【０００３】
【発明が解決しようとする課題】
しかして、図柄表示装置に継続大当り図柄が表示されたか、あるいは継続大当り図柄以外の大当り図柄が表示されたのかは、遊技場の店員がわざわざ当該パチンコ機のところまでいって視覚的に確認するしかなく、継続か否かの判断が煩わしいという問題があった。本発明は、上記した問題点に鑑みなされたもので、その目的とするところは、図柄を変動表示する表示部の表示結果に係る情報のうち、特に必要な情報を出力することができる遊技機を提供することにある。
【０００４】
【課題を解決するための手段】
上記した目的を達成するために、本発明においては、図柄を変動表示する図柄表示装置を備えるとともに、入賞に応じた遊技球の払出機能を備え、前記図柄表示装置における確定図柄が当り図柄である場合に当り遊技状態を発生し得る弾球遊技機において、前記当り図柄のうちの一部を終了当り図柄とし、他の一部を普通当り図柄とし、それら普通当り図柄及び終了当り図柄以外を前記終了当り図柄で当り遊技状態となるまでそのまま遊技を継続できる継続当り図柄として設定し、前記図柄表示装置の変動結果が前記継続当り図柄を表示したときから前記終了当り図柄に基づく終了信号が導出されるまでの間の当り遊技状態の期間中に継続信号を管理コンピュータ及び遊技機島台の上方に設けられる表示装置に導出する継続信号導出手段を備えた。この場合、継続当り図柄及び終了当り図柄を個々独立に変更設定できるように構成することが好ましい。
【０００５】
上記のように構成することにより、図柄表示装置の表示結果が継続当り図柄である場合に継続信号を管理コンピュータ及び遊技機島台の上方に設けられる表示装置に導出する継続信号導出手段を備えて構成されているので、導出された信号を所定の表示装置等に伝達することにより、遊技場の店員がわざわざ弾球遊技機のところまでいって確認しなくても、継続当り図柄が表示されたことがわかり、その後の処置を速やかに行うことができる。
【０００６】
【発明の実施の形態】
以下、図面を参照して、本発明の実施形態について説明する。まず、図５を参照して実施形態に係るパチンコ機の遊技盤の構成について説明する。図において、正方形状に構成された遊技盤１の前面には、ほぼ円状に設けられる誘導レール２によって区画された遊技領域３が形成されている。遊技領域３のほぼ中央には、本実施形態の要部を構成する図柄表示装置４が配置され、該図柄表示装置４の下方に変動入賞装置１０が配置されている。
【０００７】
図柄表示装置４は、遊技盤１の表面に取付けられる取付基板５に集約して形成されている。すなわち、取付基板５の上部には、入賞口６が形成され、該入賞口６の下方に後述する１０カウント検出スイッチ（符号なし）で検出された入賞玉数を表示する入賞個数表示ＬＥＤ７が前面に臨むように設けられている。また、入賞個数表示ＬＥＤ７の下方に後述する始動入賞口１２ａ〜１２ｃに入賞した入賞玉数を記憶した旨を報知する始動記憶表示ＬＥＤ８も取付基板５の前面に臨むように設けられている。この始動記憶表示ＬＥＤ８は、図柄表示器９ａ〜９ｃの変動表示中又は大当り遊技状態中のときに打球が始動入賞口１２ａ〜１２ｃに入賞したときに記憶保留され、その保留された数だけ始動記憶表示ＬＥＤ８が点灯し、図柄表示器９ａ〜９ｃの変動開始毎に１つずつ消灯するようになっている。ただし、その記憶数は、最高４個までとされ、それ以上の始動入賞は、無効とされる。
【０００８】
更に、取付基板５には、そのほぼ中央に３つの図柄表示器９ａ〜９ｃが設けられている。本実施形態における図柄表示器９ａ〜９ｃは、７セグメントＬＥＤで構成されているため、それによって表示される図柄は、数字の「１」〜「０」までの十種類である。そして、この図柄表示器９ａ〜９ｃは、打球が始動入賞口１２ａ〜１２ｃに入賞したことに基づいて上記した数字を遊技者に識別できない程の速さで変動表示し、一定時間（例えば、５秒）経過したときに、まず左の図柄表示器９ａの変動表示が停止され、次いで所定時間経過後に右の図柄表示器９ｃの変動表示が停止され、更に所定時間経過後に中央の図柄表示器９ｂが停止するように制御される。停止時に３つの図柄表示器９ａ〜９ｃに表示される図柄が予め定めた大当り図柄（例えば、全て同一の数字）となったときには、大当り遊技状態となり、前記したように変動入賞装置１０を駆動制御して短時間に多数の入賞玉が発生するようになっている。
【０００９】
ところで、図柄表示器９ａ〜９ｃに表示される大当り図柄の組合せは、上記したように複数個（本実施形態の場合、１０個）設けられるが、そのうち、例えば、「３のゾロ目」と「７のゾロ目」は、継続大当り図柄として設定され、「１のゾロ目」が終了大当たり図柄として設定される。また、それ以外の大当り図柄が普通大当り図柄として設定される。この場合、図柄表示器９ａ〜９ｃの変動結果として継続大当り図柄が表示された場合には、当該大当り図柄に基づく大当り遊技状態が終了した時点で獲得した景品玉を使用して引き続いて当該パチンコ機で遊技を継続することができる。このため、遊技者は、多量の打球を使用して遊技を継続し、その継続中に再度大当り遊技状態を発生させて獲得する景品玉量の上積みを図ることができる。そして、このような継続遊技は、終了大当り図柄が表示されるまで連続して行うことができるようになっている。つまり、継続大当り図柄が表示されたときには、次に終了大当り図柄が表示されるまでの間に何回大当り遊技状態が発生しても獲得した景品玉を景品に交換することなく継続して遊技を行うことができる。なお、後述するように継続大当り図柄が表示されたときには、判定制御回路２０から継続信号Ｓ２が導出され、終了大当り図柄が表示されたときには、判定制御回路２０から終了信号Ｓ３が導出されるようになっている。
【００１０】
これに対し、終了大当り図柄、又は継続中でない場合の普通大当り図柄が表示された場合には、当該大当り図柄に基づく大当り遊技状態が終了した時点で獲得した景品玉を一旦遊技者の所望する景品に交換し、新たに当該パチンコ機で遊技を継続するためには、硬貨を投入して遊技玉を借り受けなければならない。このため、遊技者は、次の大当り遊技状態を発生させるまで自らの硬貨を使用する必要があるため、遊技を継続して行える場合に比較してパチンコ遊技に費やす費用が多くなるという欠点があり、遊技者の希望としては、継続大当り図柄が表示されることを望むものである。
【００１１】
変動入賞装置１０は、開閉板１１を有しており、その開閉板１１が図示しない開閉ソレノイドによって開閉駆動されるようになっている。また、変動入賞装置１０には、図示しないが開閉板１１が開放した状態で受け入れた入賞玉を検出する１０カウント検出スイッチと開閉板１１の内側の変動入賞装置１０に形成されるＶ入賞口に入賞した入賞玉を検出するＶ入賞検出スイッチとが設けられている。上記のように構成される変動入賞装置１０は、前記した大当り遊技状態となったときに開閉板１１が一定時間（例えば、３０秒）経過するまで、あるいは所定個数（例えば、１０個）の入賞玉が発生するまで開放し、そのような開放状態をＶ入賞口に入賞玉が入賞することを条件として所定回数（例えば、１６回）繰り返すようになっている。しかして、１０カウント検出スイッチは、開閉板１１の１回の開放中に受け入れられる入賞玉数を計数するために使用され、Ｖ入賞検出スイッチは、開閉板１１が繰り返して開放される条件を検出するために使用されるものである。
【００１２】
また、遊技領域３には、始動入賞口１２ａ〜１２ｃが設けられている。この始動入賞口１２ａ〜１２ｃは、図柄表示装置４の図柄表示器９ａ〜９ｃの変動表示を許容するものであり、このため、始動入賞口１２ａ〜１２ｃは、打球の入賞を検出する始動入賞検出スイッチ（図示しない）を内蔵している。また、始動入賞口１２ａは、図柄表示装置４と変動入賞装置１０との間に、始動入賞口１２ｂ，１２ｃは、変動入賞装置１０の開閉板１１の左右にそれぞれ配置されている。
【００１３】
更に、遊技領域３には、図柄表示装置４の両側にチューリップ式入賞口１３ａ，１３ｂが設けられ、変動入賞装置１０の斜め上方左右に入賞口１４ａ，１４ｂが配置されている。これらの入賞口１３ａ，１３ｂ、１４ａ，１４ｂには、図示しないが各種の遊技状態に応じて点灯したり点滅したりする動作ランプが内蔵されている。また、遊技領域３の左右両側には、大当り遊技状態となったときに点滅してその旨を遊技者に報知する大当りランプ１５ａ，１５ｂも配置されている。また、遊技領域３の最下方には、上記した入賞口等に入賞しない打球が回収されるアウト口１６も設けられている。
【００１４】
上記した遊技盤１に設けられる図柄表示装置４や変動入賞装置１０等は、パチンコ機の裏面に設けられる遊技制御回路２０によって駆動制御される。遊技制御回路２０は、遊技場に配置される個々のパチンコ機に対応して設けられるものであり、図１に示すように、大当り遊技状態となったときにそれぞれの遊技制御回路２０−１〜２０−ｎから対応する判定制御回路２１−１〜２１−ｎに出目表示信号Ｓ１が導出される。この出目表示信号Ｓ１は、大当り遊技状態となった大当り図柄を識別する信号であって、例えば、終了大当り図柄である「１のゾロ目」であるときには、数値１を表すシリアル信号が導出され、継続大当り図柄である「３のゾロ目」又は「７のゾロ目」であるときには、数値３又は数値７を表すシリアル信号がそれぞれ導出される。
【００１５】
前記遊技制御回路２０に接続されるそれぞれの判定制御回路２１は、例えば、１チップのマイクロコンピュータで構成されると共に、図示しないが継続大当り図柄を遊技場において任意に設定可能な継続出目設定スイッチと、終了大当り図柄を遊技場において任意に設定可能な終了出目設定スイッチとを含み、それぞれの設定スイッチで設定した値と出目表示信号Ｓ１とを対比判定する大当り図柄判定装置を構成するものである。そして、その対比した結果、出目表示信号Ｓ１が継続大当り図柄であると判定されたときには、判定制御回路２１から継続信号Ｓ２が導出され、出目表示信号Ｓ１が終了大当り図柄であると判定されたときには、終了信号Ｓ３が導出される。なお、継続信号Ｓ２は、一旦導出された後には、終了信号Ｓ３が導出されるまでの間、大当りがある毎に継続して導出されるようになっている。
【００１６】
また、個々の判定制御回路２１−１〜２１ｎは、遊技場に設けられるパチンコ機の出玉等を管理する管理コンピュータ２２に接続されており、このため、各判定制御回路２１−１〜２１−ｎから導出された継続信号Ｓ２、終了信号Ｓ３は、管理コンピュータ２２に入力される。そして、管理コンピュータ２２においては、モニター２３に継続信号Ｓ２に基づいてパチンコ機の台番号と継続表示が表示され、終了信号Ｓ３に基づいてパチンコ機の台番号と終了表示が表示される。
【００１７】
上記した判定制御回路２１の具体的な動作について図２及び図３のフロー図を参照して説明する。まず、初期セット時において、図２に示す初期セットプログラムが実行される。即ち、ステップ１００で継続出目設定スイッチの値が読み込まれ、ステップ１０２で終了出目設定スイッチの値が読み込まれる。これによって遊技制御回路２０から導出される出目表示信号Ｓ１が継続大当り図柄であるか終了大当り図柄であるかの判定の基準を設定することとなる。なお、継続大当り図柄及び終了大当り図柄の設定は、設定スイッチに代えてＲＯＭ内のプログラムにそって設定できるようにしてもよい。また、初期セット時だけでなく、任意の時に設定スイッチを操作して変更できるようにしてもよい。
【００１８】
次に、外部定時間割込み信号がある毎に図３に示すメインプログラムが実行される。即ち、ステップ２００で大当り信号（出目表示信号Ｓ１）があるか否かが判定され、大当り信号があれば、ステップ２０２で出目表示信号Ｓ１の値を読み込む。そして、ステップ２０４で読み込んだ出目表示信号Ｓ１が継続出目表示、即ち継続大当り図柄であるか否かが判定され、出目表示信号Ｓ１が継続大当り図柄であるときには、ステップ２０６で継続フラグがセットされ、その後、ステップ２０８で継続信号がセットされる。これによってステップ２１８における継続信号発生回路が駆動されて継続信号Ｓ２を導出する。この継続信号Ｓ２の導出は、ステップ２００で大当り信号がなくなったと判定されてステップ２２０で継続信号がリセットされるまで実行される。即ち、大当り遊技状態の期間中導出されていることになる。
【００１９】
一方、ステップ２０２で読み込んだ出目表示信号Ｓ１が継続出目表示ではないとステップ２０４で判定されたときには、ステップ２１０で出目表示信号Ｓ１が終了出目表示、即ち終了大当り図柄であるか否かが判定され、終了大当り図柄でない場合、即ち、普通大当り図柄であるときには、ステップ２１２で継続フラグがセットされているか否かが判定される。そして、継続フラグがセットされている場合には、その普通大当り図柄による大当り遊技状態が終了しても遊技を継続して行えるように前記ステップ２０８に移行して継続信号をセットする。一方、継続フラグがセットされていないときには、後述するステップ２１６に移行して終了信号をセットする。
【００２０】
前記ステップ２１０で出目表示信号Ｓ１が終了図柄であると判定されたときには、ステップ２１４で継続フラグをリセットした後、ステップ２１６で終了信号をセットする。これによってステップ２１８における終了信号発生回路が駆動されて終了信号Ｓ３を導出する。この終了信号Ｓ３の導出は、ステップ２００で大当り信号がなくなったと判定されてステップ２２０で終了信号がリセットされるまで実行される。即ち、大当り遊技状態の期間中導出されていることになる。
【００２１】
上記のように判定制御回路２１から導出された継続信号Ｓ２と終了信号Ｓ３とは、管理コンピュータ２２によって図４に示すように処理される。即ち、ステップ３００で継続信号Ｓ２が有るか否かが判定され、有る場合には、ステップ３０２でモニター２３に継続表示が行われる。また、ステップ３０４で終了信号Ｓ３が有るか否かが判定され、有る場合には、ステップ３０６でモニター２３に終了表示が行われる。
【００２２】
上記したように、本実施形態においては、図柄表示装置４の変動結果が大当りとなったときに判定制御回路２１によって継続大当り図柄であるか否かが判定され、継続大当り図柄であると判定されたときには、継続信号Ｓ２が管理コンピュータ２２に送られてモニター２３にその旨を表示されるので、管理コンピュータ２２が設置して有る管理室からの店内放送等によってパチンコ機の台番号と継続大当り図柄である旨を店員に知らせることにより、店員がわざわざパチンコ機のところまでいって大当り図柄を確認する必要がなく、煩わしさが解消されると共に、遊技場の省力化を図ることができる。
【００２３】
なお、上記実施形態では、継続信号及び終了信号を管理コンピュータ２２に伝達してモニター２３で表示するものを示したが、管理コンピュータ２２からパチンコ機に所定の指令をフィードバックするようにしてもよい。例えば、継続信号を受けた場合には、その旨を報知する表示器（パチンコ機の上部前面に設けられることが望ましい）を表示駆動し、終了信号を受けた場合には、その旨の表示器を表示駆動すると共に、大当り遊技状態の終了と同時に打球が発射できないような指令を出力してもよい。また、継続信号及び終了信号を管理コンピュータ２２だけではなく、管理コンピュータ２２及び／又は他の出力装置（例えば、各パチンコ機の上部に設けられる表示器）に出力するようにしてもよい。また、判定制御回路２１からは継続信号だけを導出するようにし、終了信号を導出しないように構成してもよい。更に、大当り図柄判定装置としての判定制御回路２１を遊技制御回路２０又は管理コンピュータ２２のいずれかに組み込んで構成してもよい。
【００２４】
【発明の効果】
以上説明したところから明らかなように、本発明においては、図柄表示装置の表示結果が継続当り図柄である場合に継続信号を管理コンピュータ及び遊技機島台の上方に設けられる表示装置に導出する継続信号導出手段を備えて構成されているので、導出された信号を所定の表示装置等に伝達することにより、遊技場の店員がわざわざ弾球遊技機のところまでいって確認しなくても、継続当り図柄が表示されたことがわかり、その後の処置を速やかに行うことができる。
【図面の簡単な説明】
【図１】実施形態に係る大当り図柄判定装置と遊技制御回路と管理コンピュータとの関係を示すブロック図である。
【図２】判定制御回路によって実行される初期セット時のフロー図である。
【図３】判定制御回路によって実行されるメインプログラムを示すフロー図である。
【図４】管理コンピュータによるモニターへの表示処理を示すフロー図である。
【図５】実施形態に係るパチンコ機の遊技盤の正面図である。
【符号の説明】
４  図柄表示装置
９ａ〜９ｃ  図柄表示器
１０  変動入賞装置
２１  判定制御回路（大当り図柄判定装置）
Ｓ２  継続信号
２２  管理コンピュータ
２３  モニター
【図１】
0003565078.tif 000002
【図２】
0003565078.tif 000003
【図３】
0003565078.tif 000004
【図４】
0003565078.tif 000005
【図５】
0003565078.tif 000006